(57)【要約】【課題】メール文書から新語を自動的に収集する。【解決手段】新語の収集方法であって、（ａ）入力文書の形態素解析を行う工程と、（ｂ）前記形態素解析の結果に含まれる未定義語を新語候補とする工程と、（ｃ）前記新語候補と所定の一般的単語とを入れ替えた入替文書を作成する工程と、（ｄ）前記入替文書の形態素解析を行う工程と、（ｅ）前記工程（ｄ）の形態素解析の結果に未定義語が無くなるまで、前記新語候補とその前後の形態素とを連結した語を新語候補とする工程ならびに工程（ｃ）および（ｄ）を繰り返す工程と、（ｆ）前記入替文書の構文解析を行う工程と、（ｇ）前記工程（ｆ）の構文解析の結果が妥当と判定されるまで、前記新語候補とその前後の形態素とを連結した語を新語候補とする工程ならびに前記工程（ｅ）および（ｆ）を繰り返す工程と、（ｈ）前記構文解析の結果が妥当と判定されたときの前記新語候補を新語とする工程と、を含む。【選択図】図２
2008176392.tif 000002
【特許請求の範囲】
【請求項１】
（ａ）電子メール、ホームページ等の入力文書を入力する工程と、
（ｂ）前記入力文書の形態素解析を行う工程と、
（ｃ）前記形態素解析の結果に含まれる未定義語を新語候補とする工程と、
（ｄ）前記新語候補と所定の一般的単語とを入れ替えた入替文書を作成する工程と、
（ｅ）前記入替文書の形態素解析を行う工程と、
（ｆ）前記工程（ｅ）の形態素解析の結果に未定義語が無くなるまで、前記新語候補とその前後の形態素とを連結した語を新語候補とする工程ならびに前記工程（ｄ）および（ｅ）を繰り返す工程と、
（ｇ）前記入替文書の構文解析を行う工程と、
（ｈ）前記工程（ｇ）の構文解析の結果が妥当と判定されるまで、前記新語候補とその前後の形態素とを連結した語を新語候補とする工程ならびに前記工程（ｆ）および（ｇ）を繰り返す工程と、
（ｉ）前記構文解析の結果が妥当と判定されたときの前記新語候補を新語とする工程と、
を含むことを特徴とする新語収集方法。
【請求項２】
（ｊ）感情理解エンジンによって前記入力文書を解析して得られたカテゴリに基づいて前記新語を分類する工程をさらに含むことを特徴とする、請求項１に記載の新語収集方法。
【請求項３】
（ａ）電子メール、ホームページ等の入力文書を入力する処理と、
（ｂ）前記入力文書の形態素解析を行う処理と、
（ｃ）前記形態素解析の結果に含まれる未定義語を新語候補とする処理と、
（ｄ）前記新語候補と所定の一般的単語とを入れ替えた入替文書を作成する処理と、
（ｅ）前記入替文書の形態素解析を行う処理と、
（ｆ）前記処理（ｅ）の形態素解析の結果に未定義語が無くなるまで、前記新語候補とその前後の形態素とを連結した語を新語候補とする処理ならびに前記処理（ｄ）および（ｅ）を繰り返す処理と、
（ｇ）前記入替文書の構文解析を行う処理と、
（ｈ）前記処理（ｇ）の構文解析の結果が妥当と判定されるまで、前記新語候補とその前後の形態素とを連結した語を新語候補とする処理ならびに前記処理（ｆ）および（ｇ）を繰り返す処理と、
（ｉ）前記構文解析の結果が妥当と判定されたときの前記新語候補を新語とする処理と、
をコンピュータに実行させるための新語収集プログラム。
【請求項４】
（ｊ）感情理解エンジンによって前記入力文書を解析して得られたカテゴリに基づいて前記新語を分類する処理をさらにコンピュータに実行させるための、請求項３に記載の新語収集プログラム。
【請求項５】
電子メール、ホームページ等の入力文書を入力する入力手段と、
前記入力文書から新語を収集する新語抽出手段と、
記憶手段と、
前記新語を出力する出力手段とを備えた新語収集装置であって、
前記新語抽出手段が、前記入力文書の形態素解析を行う形態素解析手段と、前記形態素解析の結果に含まれる未定義語を新語候補とする新語定義手段と、前記新語候補と所定の一般的単語とを入れ替えた入替文書を作成する語彙入れ替え手段と、前記入替文書の構文解析を行う構文解析手段とをさらに備え、
前記記憶手段が、前記新語を記録する新語記憶手段と、前記一般的単語を記録する入れ替え語彙記憶手段とをさらに備えたことを特徴とする新語収集装置。
【請求項６】
感情理解エンジンによって前記入力文書を解析して得たカテゴリに基づいて前記新語を分類する新語分類手段をさらに備え、
前記記憶手段が、前記カテゴリを記録するカテゴリ種別記憶手段をさらに備え、
前記新語記憶手段が、前記新語を前記カテゴリとともに記録するように構成され、
前記出力手段が、前記新語を前記カテゴリとともに出力するように構成されたことを特徴とする、請求項５に記載の新語収集装置。
【発明の詳細な説明】
【技術分野】
【０００１】
本発明は、新語収集装置、方法およびプログラムに関し、特に、構文解析を利用した新語収集装置、方法およびプログラムに関する。
【背景技術】
【０００２】
携帯電話のメールでやり取りされる文書やホームページに掲載される文書には、くだけた表現が多く含まれるため、予めインストールされた辞書に存在しない語を入力しなければならないケースが多い。
【０００３】
そこで、日々発生する新語を辞書に迅速に登録したいというニーズがある。しかし、従来の新語を収集する手段は人手によるものが中心で、収集および分類に手間と時間がかかるという問題があった。
【０００４】
したがって、新語の収集作業を自動化またはコンピュータ化することが望まれる。例えば、特許文献１において、ホームページの文書データから新語候補を収集する作業のコンピュータ化が開示され、特許文献２において、新語候補を精度良く抽出するための電子機器装置が開示されている。さらに、特許文献３において、入力テキストから効率よく感情情報を抽出する方法が開示されている。
【０００５】
【特許文献１】特開２０００−２５０９１５号公報
【特許文献２】特開２００４−３１８４８０号公報
【特許文献３】特開２００２−１１７０２７号公報
【発明の開示】
【発明が解決しようとする課題】
【０００６】
特許文献１および２において、新語を収集（抽出）するシステムが開示されているものの、これらの技術によって、電子文書における口語表現のようなくだけた表現に含まれる新語（造語）を精度よく収集することは困難であると考えられる。
【０００７】
また、特許文献１および２における従来の新語収集システムは、新語を収集するのみであって、収集した新語のカテゴリ分類は行なわれないため、新語が使用される場面を想定することができないという問題がある。
【０００８】
したがって、くだけた表現を含む文書から新語を自動的に収集し、自動的に新語のカテゴリ分類を行う新語収集システム、方法およびプログラムを提供することが課題となる。
【課題を解決するための手段】
【０００９】
本発明の第１の視点に係る新語収集方法は、（ａ）電子メール、ホームページ等の入力文書を入力する工程と、（ｂ）前記入力文書の形態素解析を行う工程と、（ｃ）前記形態素解析の結果に含まれる未定義語を新語候補とする工程と、（ｄ）前記新語候補と所定の一般的単語とを入れ替えた入替文書を作成する工程と、（ｅ）前記入替文書の形態素解析を行う工程と、（ｆ）前記工程（ｅ）の形態素解析の結果に未定義語が無くなるまで、前記新語候補とその前後の形態素とを連結した語を新語候補とする工程ならびに前記工程（ｄ）および（ｅ）を繰り返す工程と、（ｇ）前記入替文書の構文解析を行う工程と、（ｈ）前記工程（ｇ）の構文解析の結果が妥当と判定されるまで、前記新語候補とその前後の形態素とを連結した語を新語候補とする工程ならびに前記工程（ｆ）および（ｇ）を繰り返す工程と、（ｉ）前記構文解析の結果が妥当と判定されたときの前記新語候補を新語とする工程と、を含むことを特徴とする。
【００１０】
本発明の第２の視点に係る新語収集プログラムは、（ａ）電子メール、ホームページ等の入力文書を入力する処理と、（ｂ）前記入力文書の形態素解析を行う処理と、（ｃ）前記形態素解析の結果に含まれる未定義語を新語候補とする処理と、（ｄ）前記新語候補と所定の一般的単語とを入れ替えた入替文書を作成する処理と、（ｅ）前記入替文書の形態素解析を行う処理と、（ｆ）前記処理（ｅ）の形態素解析の結果に未定義語が無くなるまで、前記新語候補とその前後の形態素とを連結した語を新語候補とする処理ならびに前記処理（ｄ）および（ｅ）を繰り返す処理と、（ｇ）前記入替文書の構文解析を行う処理と、（ｈ）前記処理（ｇ）の構文解析の結果が妥当と判定されるまで、前記新語候補とその前後の形態素とを連結した語を新語候補とする処理ならびに前記処理（ｆ）および（ｇ）を繰り返す処理と、（ｉ）前記構文解析の結果が妥当と判定されたときの前記新語候補を新語とする処理と、をコンピュータに実行させることを特徴とする。
【００１１】
本発明の第３の視点に係る新語収集装置は、電子メール、ホームページ等の入力文書を入力する入力手段と、前記入力文書から新語を収集する新語抽出手段と、記憶手段と、前記新語を出力する出力手段とを備えた新語収集装置であって、前記新語抽出手段が、前記入力文書の形態素解析を行う形態素解析手段と、前記形態素解析の結果に含まれる未定義語を新語候補とする新語定義手段と、前記新語候補と所定の一般的単語とを入れ替えた入替文書を作成する語彙入れ替え手段と、前記入替文書の構文解析を行う構文解析手段とをさらに備え、前記記憶手段が、前記新語を記録する新語記憶手段と、前記一般的単語を記録する入れ替え語彙記憶手段とをさらに備えたことを特徴とする。
【００１２】
第１の展開形態の新語収集方法は、前記第１の視点に係る新語収集方法において、（ｊ）感情理解エンジンによって前記入力文書を解析して得られたカテゴリに基づいて前記新語を分類する工程をさらに含むことを特徴とする。
【００１３】
第２の展開形態の新語収集プログラムは、前記第２の視点に係る新語収集プログラムにおいて、（ｊ）感情理解エンジンによって前記入力文書を解析して得られたカテゴリに基づいて前記新語を分類する処理をさらにコンピュータに実行させることを特徴とする。
【００１４】
第３の展開形態の新語収集プログラムは、前記第３の視点に係る新語収集装置において、感情理解エンジンによって前記入力文書を解析して得たカテゴリに基づいて前記新語を分類する新語分類手段をさらに備え、前記記憶手段が、前記カテゴリを記録するカテゴリ種別記憶手段をさらに備え、前記新語記憶手段が、前記新語を前記カテゴリとともに記録するように構成され、前記出力手段が、前記新語を前記カテゴリとともに出力するように構成されたことを特徴とする。
【発明の効果】
【００１５】
第１に、新語を収集する手段は人手によるものが中心であり、手間と時間が掛かるが、本発明に係る新語収集システム、方法およびプログラムによって、くだけた表現を含む文書から妥当な新語の収集を自動的に行うことが可能となるため、新語収集の手間と時間が削減される。
【００１６】
第２に、新語を分類する手段は人手によるものが中心であり、手間と時間が掛かるが、本発明に係る新語収集システム、方法およびプログラムによって、収集された新語が使われる場面を想定するためのカテゴリの付与（感情表現の付与）を自動的に行うことが可能となり、新語分類の手間と時間が削減される。
【発明を実施するための最良の形態】
【００１７】
図３に示すように、電子メールやホームページの文書を入力すると、出力として新語（語彙）とそのカテゴリの組み合わせを新語リストとして提示するシステムを提供する。これによって、新語の収集と分類の作業をコンピュータ化（自動化）する。
【００１８】
そのための手段として、第１に、形態素解析手段と構文解析手段に加えて、語彙の入れ替え手段を組み合わせる事で新語を定義する。
【００１９】
具体的には、まず、入力された文書全体を形態素解析エンジンに掛けた時に未定義語（未知語）と解析された語を新語候補とする。新語候補を予め用意してある一般的な語彙と入れ替えた文書に対して形態素解析と構文解析を実施し、形態素解析と構文解析が正常に完了した場合、新語候補として妥当であると判断する。語彙を入れ替えても形態素解析と構文解析が正常に完了しない場合、先の新語候補の前後の語彙も含めて語彙の入れ替えを実施し、形態素解析と構文解析が正常に完了するまで入れ替える語彙の選定を繰り返すことで新語候補を定義する。
【００２０】
第２に、文書全体（または段落単位）で感情理解エンジンに掛けることで文書全体に対して感情表現によるカテゴリ分類を行う。
【００２１】
カテゴリ分類の効果として、新語がどのようなカテゴリの文書で使われているか確認し、新語のカテゴリ分類の指標として利用することが出来る。
【実施例】
【００２２】
図１は、本発明の実施の形態に係る新語収集システムのブロック図である。図１に示す通り、本発明の新語収集システムは、入力手段１と、出力手段４と、処理手段２と、記憶手段３とを備える。
【００２３】
入力手段１は、新語を含む可能性のある電子メールやホームページの文書を入力し、当該文書を処理手段２における新語収集手段２１へと出力する。
【００２４】
出力手段４は、処理手段２における新語収集手段２１から収集した新語とそのカテゴリのリストを入力し、これらをユーザに向けて出力する。
【００２５】
処理手段２は、新語収集手段２１により新語の抽出と分類を行う。記憶手段３は、処理手段２の処理において必要な情報を記録するとともに、処理手段２の処理によって得られた情報を記録する。以下、処理手段２と記憶手段３の動作の詳細を説明する。
【００２６】
新語収集手段２１は、新語抽出手段２２および新語分類手段２３によって、新語を抽出および分類し、新語情報を新語記憶手段３１および出力手段４へと出力する。出力手段４は、ユーザに新語情報を提示する。
【００２７】
新語抽出手段２２は、形態素解析手段２４、新語定義手段２５、語彙入れ替え手段２６および構文解析手段２７を備え、夫々の手段において、入力された文書の形態素解析、新語の定義、語彙の入れ替え、構文解析（すなわち妥当性の確認）を行う。
【００２８】
語彙入れ替え手段２６は、新語候補の語彙と入れ替え語彙記憶手段３２において予め用意した一般的な語彙の集合に含まれる語彙との入れ替えを行う。
【００２９】
新語分類手段２３は、電子文書を解析し、文書全体に対して適切なカテゴリ種別を付与する。文書に付与されたカテゴリ種別は、同時に新語のカテゴリとされ、新語の分類の用に供される。ここで、カテゴリ種別はカテゴリ種別記憶手段３３に記録されたカテゴリの中から選択する。具体的には、新語分類手段２３は感情理解エンジンを利用して、新語の感情表現によるカテゴリ分類を行う。これによって、新語がどのような種類の文書で使われていたのか、に関する情報が抽出された新語に対して付与される。
【００３０】
新語を収集する方法（プログラム）のフロー図を図２に示す。
【００３１】
処理手段２における新語収集手段２１は、入力手段１から出力された、新語を含む電子メールを入力する。新語収集手段２１は新語抽出手段２２に電子メールを出力する。
【００３２】
新語抽出手段２２は、形態素解析手段２４を利用して形態素解析（ステップＳ１）を実施する。
【００３３】
新語定義手段２５は、形態素解析エンジンで解析できない語彙を、新語候補と定義（ステップＳ２）する。なお、新語定義手段２５は、最初の新語候補定義（ステップＳ２）の場合には、形態素解析エンジンで解析できない語彙そのものを新語候補とする。
【００３４】
次に、語彙入れ替え手段２６において、文書中の新語を予め入れ替え語彙記憶手段３２に記録された一般的な語彙と入れ替える（ステップＳ３）。
【００３５】
新語を入れ替え語彙記憶手段３２に用意した一般的な語彙と入れ替えた文書に対して、再び形態素解析を実施する（ステップＳ４）。
【００３６】
さらに、形態素解析エンジンで解析できない語彙があるか否かを判定する（ステップＳ５）。
【００３７】
形態素解析エンジンで解析できない語彙がある場合は、形態素解析エンジンで解析できない語彙の前後の語彙を繋げて新語と定義する、などの方法にもとづいて、新語定義手段語２５は、新語候補を定義し直す（ステップＳ６）。
【００３８】
次に、語彙入れ替え手段２６は、再定義された新語候補を予め入れ替え語彙記憶手段３２に記録された一般的な語彙と入れ替える（ステップＳ３）。
【００３９】
最終的に形態素解析エンジンで解析できない語彙が無くなるまで、新語候補再定義（ステップＳ６）、語彙入れ替え（ステップＳ３）および形態素解析（ステップＳ４）の工程を繰り返す。
【００４０】
形態素解析エンジンで解析できない語彙がなくなった場合、その形態素解析結果に対して構文解析を実施する（ステップＳ７）。構文解析では文節の係り受け関係を解析するため、語彙の入れ替えの結果、文書として相応しくない場合には解析結果は妥当でないと判定される。
【００４１】
構文解析の結果が妥当か否か判定する（ステップＳ８）。構文解析の結果が妥当でない場合は、新語候補を再定義（ステップＳ６）し、語彙の入れ替え（ステップＳ３）を実施する。
【００４２】
語彙を入れ替えた文章に対して、形態素解析（ステップＳ４）と構文解析（ステップＳ７）が妥当と判定された段階で、新語候補を新語として抽出する（ステップＳ９）。
【００４３】
新語の抽出完了後、新語のカテゴリの分類（ステップＳ１０）を実施する。
【００４４】
新語収集手段２１は、新語分類手段２３に電子文書を送信する。新語分類手段２３は、電子文書を解析し、文書全体に対して適切なカテゴリ種別を付与する。カテゴリ種別はカテゴリ種別記憶手段３３に記録されたカテゴリの中から選択する。
【００４５】
具体的には、新語分類手段２３は、感情理解エンジンを利用して新語の感情表現によるカテゴリ分類を行う。これによって、新語が使用されていた文書の種類に関する情報が付与される。
【００４６】
新語収集手段２１は新語抽出手段２２および新語分類手段２３を利用して、入力された電子文書から収集した、新語とそのカテゴリを記録するために新語記憶手段３１へ出力し、ユーザに提示するために出力手段４へ出力する。
【００４７】
図４ないし９に、本発明に係る新語収集システムに基づく新語収集の事例を示す。
【００４８】
図４ないし６は、本発明に係る新語収集システムによって、文書「フィードバックは大変だけど楽しい。」から新語を抽出する過程を説明するための図である。
【００４９】
文書「フィードバックは大変だけど楽しい。」を、例えば、形態素解析エンジンとしてＪｕｍａｎ（京都大学で開発された隠れマルコフモデルに基づく解析エンジン）を用いて形態素解析する（図２のステップＳ１）。
【００５０】
すると、図４Ａに示すように、形態素解析結果において、「フィードバック」が未定義語と判定される。したがって、新語候補定義（図２のステップＳ２）では、「フィードバック」が新語候補とされる。
【００５１】
語彙入れ替え（図２のステップＳ３）の工程では、入れ替え語彙記憶手段（図１の３２）に記録された一般的な語彙として、例えば「学校」が選定され、「フィードバック」と入れ替えられる。
【００５２】
新語候補が入れ替えられた文書「学校は大変だけど楽しい。」を、Ｊｕｍａｎによって、形態素解析（図２のステップＳ４）した結果（図４Ｂ）において、未定義語は含まれない。
【００５３】
そこで、構文解析（図２のステップＳ７）を実施する。
【００５４】
構文解析のエンジンとして、例えば、形態素解析システムの解析結果（形態素列）を入力すると、文節間の係り受け関係を決定するエンジンを利用することができる。
【００５５】
ここでは、このような機能を備えた構文解析エンジンとして、京都大学が公開しているＫＮＰを用いた場合を例として、説明する。
【００５６】
前記の文書「学校は大変だけど楽しい。」をＫＮＰによって構文解析すると、図５Ｂに示す結果が得られる。したがって、構文解析結果も妥当と判定される（図２のステップＳ８）。
【００５７】
よって、新語候補「フィードバック」は新語として抽出される（図２のステップＳ９）。
【００５８】
最後に、文章全体を、感情理解エンジンに掛け、「楽しい」というカテゴリが付与される（図２のステップＳ１０）。
【００５９】
以上の結果、入力された文書から、「フィードバック、名詞、カテゴリ：楽しい」という新語が、カテゴリ分類を伴って収集（図６）される。
【００６０】
一方、図７〜９は、本発明に係る新語収集システムによって、文書「わっしーは怒りっぽい性格だ。」から新語を抽出する過程を説明するための図である。
【００６１】
文書「わっしーは怒りっぽい性格だ。」を、例えば、形態素解析エンジンとしてＪｕｍａｎを用いて、形態素解析（図２のステップＳ１）すると、「っ」と「ー」が未定義語と判定される（図７Ａ）。
【００６２】
このとき、新語候補定義（図２のステップＳ２）において、「っ」および「ー」が新語候補とされる。
【００６３】
そこで、語彙入れ替え（図２のステップＳ３）の工程では、入れ替え語彙記憶手段（図１の３２）から、一般的な語彙として、例えば「学校」が選定され、「っ」および「ー」は「学校」へ置き換えられる。
【００６４】
新語候補が入れ替えられた文書「わ学校し学校は怒りっぽい性格だ。」を、Ｊｕｍａｎによって、形態素解析（図２のステップＳ４）した結果（図７Ｂ）には、未定義語が含まれていない。
【００６５】
そこで、例えば、ＫＮＰを構文解析エンジンとして、構文解析を実施する（図２のステップＳ７）。
【００６６】
ＫＮＰによる構文解析の結果を図８Ｂに示す。このとき、係り受け関係に問題があるため、構文解析結果は妥当でないと判定される（図２のステップＳ８）。
【００６７】
そこで、新語候補再定義（図２のステップＳ６）の工程において、例えば、新語候補として採用した「っ」と「ー」の代わりに、これらと前後の形態素「わ」および「し」を連結した「わっしー」を新語候補として採用する。
【００６８】
このとき、語彙入れ替え（図２のステップＳ３）の工程において、新語候補「わっしー」が、例えば、一般的な語「学校」と置き換えられる。
【００６９】
置き換えた文書「学校は怒りっぽい性格だ。」について、Ｊｕｍａｎを形態素解析エンジンとして、形態素解析（図２のステップＳ４）を行った結果を図７Ｃに示す。
【００７０】
形態素解析の結果には、未定義語は含まれないものと判定される（図２のステップＳ５）。
【００７１】
また、置き換えた文書「学校は怒りっぽい性格だ。」について、ＫＮＰによって、構文解析（図２のステップＳ７）した結果を図８Ｃに示す。
【００７２】
その結果、構文解析結果（図８Ｃ）も妥当と判定される（図２のステップＳ８）。
【００７３】
そこで、文章全体を感情理解エンジンに掛け、「怒り」というカテゴリが付与される（図２のステップＳ１０）。
【００７４】
以上の手続きによって、「わっしー、名詞、カテゴリ：怒り」という、カテゴリ分類された新語の収集が可能となる（図９）。
【００７５】
本発明では電子メールから新語を抽出し、カテゴリ分類するシステムを提案した。
【００７６】
このシステムをインターネットのホームページ（ＨＰ）に適用しても同様の効果が得られる。
【００７７】
ブログ等の口語表現が多いＨＰでは新語の割合が大きいため特に効果が大きい。
【００７８】
以上より、本構成において、インターネットＨＰのデジタルドキュメントを対象として新語収集とカテゴリ分類を実施してもよい。
【産業上の利用可能性】
【００７９】
電子メールやインターネットＨＰのように新語が含まれる電子文書を扱う、携帯電話、パソコンその他の電子機器において、本発明に係る新語収集システム、方法およびプログラムを利用することが可能である。
【図面の簡単な説明】
【００８０】
【図１】本発明の実施の形態に係る新語収集システムのブロック図である。
【図２】本発明の実施の形態に係る新語収集システムおける処理手順を示すフローチャートである。
【図３】本発明の実施の形態に係る新語収集システムの概要を示す図である。
【図４】本発明の実施の形態に係る新語収集システムに基づく新語収集の第１の事例における、形態素解析結果を示す図である。
【図５】本発明の実施の形態に係る新語収集システムに基づく新語収集の第１の事例における、形態素解析結果を示す図である。
【図６】本発明の実施の形態に係る新語収集システムに基づく新語収集の第１の事例における、新語収集結果を示す図である。
【図７】本発明の実施の形態に係る新語収集システムに基づく新語収集の第２の事例における、形態素解析結果を示す図である。
【図８】本発明の実施の形態に係る新語収集システムに基づく新語収集の第２の事例における、構文解析結果を示す図である。
【図９】本発明の実施の形態に係る新語収集システムに基づく新語収集の第２の事例における、新語収集結果を示す図である。
【符号の説明】
【００８１】
１  入力手段
２  処理手段
３  記憶手段
４  出力手段
２１  新語収集手段
２２  新語抽出手段
２３  新語分類手段
２４  形態素解析手段
２５  新語定義手段
２６  語彙入れ替え手段
２７  構文解析手段
３１  新語記憶手段
３２  入れ替え語彙記憶手段
３３  カテゴリ種別記憶手段
【図１】
2008176392.tif 000003
【図２】
2008176392.tif 000004
【図３】
2008176392.tif 000005
【図４】
2008176392.tif 000006
【図５】
2008176392.tif 000007
【図６】
2008176392.tif 000008
【図７】
2008176392.tif 000009
【図８】
2008176392.tif 000010
【図９】
2008176392.tif 000011